(57)【要約】【課題】プレート体の剛性に伴う弾力調節プレートの前方突き出し量の不足。【解決手段】背凭フレーム３に一枚板形状のプレート体３１をワイヤスプリング３２を介して前後移動自在に取付ける。プレート体３１の前面には、前後する合成樹脂製の一枚板状の弾力調節プレート４０を設ける。プレート体３１の下部には弾力調節プレート４０の下部係合部５５が係合する下部開口部６０を形成する。弾力調節プレート４０の下部係合部５５の表面側には、ケーブル先端係合体６１の左右幅より長く形成した嵌合溝５５Ａを設け、左右何れか一方側に寄った位置の嵌合溝５５Ａにワイヤーケーブル５６のインナーケーブル５７を挿通するケーブル挿入溝５８を形成する。ケーブル挿入溝５８の近傍の嵌合溝５５Ａ内に前記インナーケーブル５７のケーブル先端係合体６１が係合する抜止体５５Ｂを設けた車両用シート。【選択図】図６
2007331724.tif 000002
【特許請求の範囲】
【請求項１】
背凭シート２の背凭フレーム３に、着座者の背部を支持しうる合成樹脂製の一枚板形状のプレート体３１を、ワイヤスプリング３２を介して前記背凭フレーム３に対して前後移動自在に取付け、該プレート体３１の前面には、該プレート体３１に対して前後するように弾性を有する合成樹脂製の一枚板状の弾力調節プレート４０を設け、該弾力調節プレート４０により着座者の身体の支持弾力を調節しうるように構成し、前記プレート体３１の下部には弾力調節プレート４０の下部係合部５５が係合する下部開口部６０を形成し、前記弾力調節プレート４０の下部係合部５５の表面側には、ケーブル先端係合体６１の左右幅より長く形成した嵌合溝５５Ａを設け、左右何れか一方側に寄った位置の嵌合溝５５Ａにワイヤーケーブル５６のインナーケーブル５７を挿通するケーブル挿入溝５８を形成すると共に、ケーブル挿入溝５８の近傍の嵌合溝５５Ａ内に前記インナーケーブル５７のケーブル先端係合体６１が係合する抜止体５５Ｂを設けた車両用シート。
【請求項２】
請求項１において、前記プレート体３１の裏面所定位置には、前記ワイヤーケーブル５６のアウターチューブ６２のチューブ先端６３が上方から係合して係止されるチューブ係止部６５を設けた車両用シート。
【請求項３】
請求項２において、前記弾力調節プレート４０の上部所定位置には、前記プレート体３１に形成した係合孔に係合する係合部を形成し、前記弾力調節プレート４０の下部所定位置には前記プレート体３１に形成した下側開口部６０に上下自在に係合する下部係合部５５を形成し、前記下側開口部６０に係合させた下部係合部５５に弾力調節プレート４０の弾力調節するワイヤーケーブル５６のインナーケーブル５７の先端を係止し、該ワイヤーケーブル５６の張力で前記弾力調節プレート４０の下部を前記プレート体３１に取付けた車両用シート。
【請求項４】
背凭シート２の背凭フレーム３に、着座者の背部を支持しうる合成樹脂製の一枚板形状のプレート体３１を、ワイヤスプリング３２を介して前記背凭フレーム３に対して前後移動自在に取付け、該プレート体３１の前面に、該プレート体３１に対して前後するように弾性を有する合成樹脂製の一枚板状の弾力調節プレート４０を位置させ、該弾力調節プレート４０の下部係合部５５の表面側の嵌合溝５５Ａの左右何れか一方側にワイヤーケーブル５６のケーブル先端係合体６１を嵌合させ、該ケーブル先端係合体６１は嵌合溝５５Ａ内の他方側に向けて横スライドさせて抜止体５５Ｂに係合させ、次に、嵌合溝５５Ａにケーブル先端係合体６１を嵌めたままでインナーケーブル５７を下部係合部５５の表側からケーブル挿入溝５８内に挿入し、ワイヤーケーブル５６は、インナーケーブル５７をケーブル挿入溝５８内を移動させながら前記下部開口部６０からプレート体３１の裏側に移動させてプレート体３１の裏側に取り付け、前記弾力調節プレート４０の下部係合部５５は前記プレート体３１の下部の下部開口部６０に係合させる車両用シートの組立方法。
【請求項５】
請求項４において、前記プレート体３１の表側から下側開口部６０を通してプレート体３１の裏側に位置させたワイヤーケーブル５６は、アウターチューブ６２のチューブ先端６３を、アウターチューブ６２を上方に牽引することにより弾力調節プレート４０を湾曲させながら一旦プレート体３１のチューブ係止部６５より上方に位置させ、次に、チューブ先端６３をチューブ係止部６５に上方から嵌合させる車両用シートの組立方法。
【請求項６】
請求項４において、前記弾力調節プレート４０は、弾力調節プレート４０の上部の係合部を前記プレート体３１に形成した係合孔に係合させた状態で、前記弾力調節プレート４０の下部係合部５５の表面側の嵌合溝５５Ａにワイヤーケーブル５６のケーブル先端係合体６１を嵌合係止させ、次に、嵌合溝５５Ａにケーブル先端係合体６１を嵌めたワイヤーケーブル５６は、インナーケーブル５７を下部係合部５５の表側からケーブル挿入溝５８内を移動させて前記下部開口部６０を通してプレート体３１の裏側に移動させ、次に、ワイヤーケーブル５６のアウターチューブ６２のチューブ先端６３を、アウターチューブ６２を上方に牽引して弾力調節プレート４０を湾曲させながらチューブ係止部６５に上方から嵌合させ、ワイヤーケーブル５６の張力で弾力調節プレート４０の下部を下部開口部６０に係合保持させる車両用シートの組立方法。
【発明の詳細な説明】
【技術分野】
【０００１】
本発明は、車両用シートを提供するものであり、特に、背凭シートのクッション材の支持構成に付いて工夫したものである。
【背景技術】
【０００２】
従来、背凭シートの背凭フレームに、着座者の背部を支持しうる合成樹脂製の一枚板形状のプレート体を、ワイヤスプリングを介して前記背凭フレームに対して前後移動自在に取付け、プレート体の前面には、該プレート体に対して前後するように弾性を有する合成樹脂製の一枚板状の弾力調節プレートを設け、該弾力調節プレートにより着座者の身体の支持弾力を調節しうるようにした構成は、公知である（例えば、特許文献１）。
【特許文献１】特開２００６−１２２２９７号公報
【発明の開示】
【発明が解決しようとする課題】
【０００３】
前記公知例は、弾力調節プレートを撓ませるワイヤーケーブルの取付が、弾力調節プレートを湾曲させながら行われるから、弾力調節プレートの湾曲と、ワイヤーケーブルの取付との二つの作業を同時進行させる必要があって、非常に面倒であるという課題がある。
即ち、ワイヤーケーブルのケーブル先端係合体をプレート体の裏面上部に係止し、アウターチューブのチューブ先端を弾力調節プレートの下部係合部に係止させる順序のため、弾力調節プレートを撓ませるとき、弾力調節プレートの下部は上向き移動し、アウターチューブのチューブ先端は下方に引かなければならず、弾力調節プレートの下部とアウターチューブの移動方向は上下に逆となり、しかも、弾力調節プレートの湾曲と、アウターチューブのチューブ先端の取付との二作業を動じに行うので、非常に面倒であった。
本願は、弾力調節プレートの操作を行うワイヤーケーブルの取付を頗る容易にしたものである。
【課題を解決するための手段】
【０００４】
本発明は、背凭シート２の背凭フレーム３に、着座者の背部を支持しうる合成樹脂製の一枚板形状のプレート体３１を、ワイヤスプリング３２を介して前記背凭フレーム３に対して前後移動自在に取付け、該プレート体３１の前面には、該プレート体３１に対して前後するように弾性を有する合成樹脂製の一枚板状の弾力調節プレート４０を設け、該弾力調節プレート４０により着座者の身体の支持弾力を調節しうるように構成し、前記プレート体３１の下部には弾力調節プレート４０の下部係合部５５が係合する下部開口部６０を形成し、前記弾力調節プレート４０の下部係合部５５の表面側には、ケーブル先端係合体６１の左右幅より長く形成した嵌合溝５５Ａを設け、左右何れか一方側に寄った位置の嵌合溝５５Ａにワイヤーケーブル５６のインナーケーブル５７を挿通するケーブル挿入溝５８を形成すると共に、ケーブル挿入溝５８の近傍の嵌合溝５５Ａ内に前記インナーケーブル５７のケーブル先端係合体６１が係合する抜止体５５Ｂを設けた車両用シートとしたものである。
本発明は、前記プレート体３１の裏面所定位置には、前記ワイヤーケーブル５６のアウターチューブ６２のチューブ先端６３が上方から係合して係止されるチューブ係止部６５を設けた車両用シートとしたものである。
本発明は、前記弾力調節プレート４０の上部所定位置には、前記プレート体３１に形成した係合孔に係合する係合部を形成し、前記弾力調節プレート４０の下部所定位置には前記プレート体３１に形成した下側開口部６０に上下自在に係合する下部係合部５５を形成し、前記下側開口部６０に係合させた下部係合部５５に弾力調節プレート４０の弾力調節するワイヤーケーブル５６のインナーケーブル５７の先端を係止し、該ワイヤーケーブル５６の張力で前記弾力調節プレート４０の下部を前記プレート体３１に取付けた車両用シートとしたものである。
本発明は、背凭シート２の背凭フレーム３に、着座者の背部を支持しうる合成樹脂製の一枚板形状のプレート体３１を、ワイヤスプリング３２を介して前記背凭フレーム３に対して前後移動自在に取付け、該プレート体３１の前面に、該プレート体３１に対して前後するように弾性を有する合成樹脂製の一枚板状の弾力調節プレート４０を位置させ、該弾力調節プレート４０の下部係合部５５の表面側の嵌合溝５５Ａの左右何れか一方側にワイヤーケーブル５６のケーブル先端係合体６１を嵌合させ、該ケーブル先端係合体６１は嵌合溝５５Ａ内の他方側に向けて横スライドさせて抜止体５５Ｂに係合させ、次に、嵌合溝５５Ａにケーブル先端係合体６１を嵌めたままでインナーケーブル５７を下部係合部５５の表側からケーブル挿入溝５８内に挿入し、ワイヤーケーブル５６は、インナーケーブル５７をケーブル挿入溝５８内を移動させながら前記下部開口部６０からプレート体３１の裏側に移動させてプレート体３１の裏側に取り付け、前記弾力調節プレート４０の下部係合部５５は前記プレート体３１の下部の下部開口部６０に係合させる車両用シートの組立方法としたものである。
本発明は、前記プレート体３１の表側から下側開口部６０を通してプレート体３１の裏側に位置させたワイヤーケーブル５６は、アウターチューブ６２のチューブ先端６３を、アウターチューブ６２を上方に牽引することにより弾力調節プレート４０を湾曲させながら一旦プレート体３１のチューブ係止部６５より上方に位置させ、次に、チューブ先端６３をチューブ係止部６５に上方から嵌合させる車両用シートの組立方法としたものである。
本発明は、前記弾力調節プレート４０は、弾力調節プレート４０の上部の係合部を前記プレート体３１に形成した係合孔に係合させた状態で、前記弾力調節プレート４０の下部係合部５５の表面側の嵌合溝５５Ａにワイヤーケーブル５６のケーブル先端係合体６１を嵌合係止させ、次に、嵌合溝５５Ａにケーブル先端係合体６１を嵌めたワイヤーケーブル５６は、インナーケーブル５７を下部係合部５５の表側からケーブル挿入溝５８内を移動させて前記下部開口部６０を通してプレート体３１の裏側に移動させ、次に、ワイヤーケーブル５６のアウターチューブ６２のチューブ先端６３を、アウターチューブ６２を上方に牽引して弾力調節プレート４０を湾曲させながらチューブ係止部６５に上方から嵌合させ、ワイヤーケーブル５６の張力で弾力調節プレート４０の下部を下部開口部６０に係合保持させる車両用シートの組立方法としたものである。
【発明の効果】
【０００５】
請求項１の発明では、ワイヤーケーブル５６のインナーケーブル５７の取付けが、ケーブル先端係合体６１を嵌合溝５５Ａに嵌合させると、抜止体５５Ｂによりケーブル先端係合体６１が外れなくなり、ワイヤーケーブル５６の取付けを容易にでき、車両用シートの組み立てを容易にできる。
請求項２の発明では、ワイヤーケーブル５６のアウターチューブ６２のチューブ先端６３をチューブ係止部６５に上方から係合させるので、弾力調節プレート４０の撓ませと、アウターチューブ６２の取付けとを同時に行え、頗る作業を容易にでき、車両用シートの組み立てを容易にできる。
請求項３の発明では、ワイヤーケーブル５６の張力で弾力調節プレート４０の下部をプレート体３１に取付けるので、部品点数を少なくでき、車両用シートの組み立てを容易にできる。
請求項４の発明では、ワイヤーケーブル５６のケーブル先端係合体６１を嵌合溝５５Ａに嵌合させて横スライドさせるだけで取付けが完了して外れないので、ワイヤーケーブル５６のプレート体３１の裏側への移動を頗る容易にでき、車両用シートの組立を容易にできる。
請求項５の発明では、ワイヤーケーブル５６のアウターチューブ６２のチューブ先端６３をチューブ係止部６５に上方から係合させるので、弾力調節プレート４０の撓ませと、アウターチューブ６２の取付とを同時に行え、頗る作業を容易にでき、車両用シートの組み立てを容易にできる。
請求項６の発明では、弾力調節プレート４０の取付およびワイヤーケーブル５６の取付作業全体を容易にでき、車両用シートの組み立てを容易にできる。
【発明を実施するための最良の形態】
【０００６】
本発明の実施例を図面により説明すると、１は車両用シート、２は車両用シート１の背凭シートであり、該背凭シート２は背凭フレーム３にクッション材４を取付け、クッション材４の外周は表皮部材５により包囲して構成している。
背凭シート２の上部にはヘッドレスト６を設ける。ヘッドレスト６の構成は任意であり、ヘッドレスト６は少なくとも着座者の頭部を支持する頭部支持部７と、前記背凭シート２に装着するためピラー８とを設けて構成している。
ヘッドレスト６のピラー８は左右方向のヘッドレスト取付杆１０に設けたピラー支持部材１１に高さ調節自在に取付ける。ピラー８とピラー支持部材１１の構成は公知であり、図示は省略するが、ピラー支持部材１１に設けた係合部材を所望高さに位置させたピラー８に形成した係合凹部に選択的に係合させて保持すればよい。
【０００７】
前記ヘッドレスト取付杆１０の左右両側は、前記ヘッドレスト６を前後に移動させる上側リンク杆１５の上部に固定する。上側リンク杆１５の上下中間部は回動軸１６により背凭フレーム３の側部フレーム１７に回動自在に取付ける。上側リンク杆１５の下部には、伝動部材（ロッド）２０の上部を軸２１により取付ける。
この場合、上側リンク杆１５は、回動軸１６より上側を上リンクアーム部２２に形成し、回動軸１６より下側を下リンクアーム部２３に形成し、上リンクアーム部２２と下リンクアーム部２３は逆「く」の字形状に形成し、下リンクアーム部２３よりも上リンクアーム部２２を長く形成する。また、上側リンク杆１５は、下リンクアーム部２３が回動軸１６を基準に下方に至るに従い前側に位置するように、傾斜させて取付ける。
【０００８】
しかして、背凭フレーム３には、後方から衝突された着座者の後方移動により後方移動する後突感知体２５を設ける。後突感知体２５は、その両側を前記背凭フレーム３に設けた一対の下側リンク２６の下部に取付軸２７により取付ける。下側リンク２６の上部は背凭フレーム３の側部フレーム１７に回動軸２８により回動自在に取付ける。下側リンク２６の上下中間部には前記伝動部材２０の下部を軸２９により取付ける。
着座者の後方移動により後突感知体２５が後方移動すると、このエネルギーが下側リンク２６と伝動部材２０を介して上側リンク杆１５に伝達され、上側リンク杆１５は伝達された着座者の後方移動エネルギーによりヘッドレスト６を前方移動させ、着座者の頭部を支持する。
【０００９】
この場合、後突感知体２５が後方移動すると、下側リンク２６は伝動部材２０を下方に牽引し、伝動部材２０は上側リンク杆１５の下部を下方回動させ、上側リンク杆１５の上部は前方回動してヘッドレスト６を前方移動させる。
したがって、上側リンク杆１５は、前記後突感知体２５に移動量を増幅させてヘッドレスト６を前方移動させ、ヘッドレスト６の移動量を十分に確保でき、着座者の頭部の支持を確実にする。
しかして、前記下側リンク２６および前記上側リンク杆１５の各部材は、前記背凭フレーム３の左右側部フレーム１７と並行方向の板状に形成し、側部フレーム１７に取付けているので、左右の側部フレーム１７の間には前記後突感知体２５が位置するだけであり、着座者に着座時の違和感あるいは不快感を与えない。
【００１０】
しかして、背凭シート２の背凭フレーム３には、板状支持材３０を設ける。板状支持材３０は着座者の上体（腰部を含む上半身）を支持するものである。板状支持材３０は着座者の上体を「面」で支持して、着座姿勢を安定させ、ヘッドレスト６による頭部の支持を良好にさせる。
即ち、従来の上下に並設したジグザグバネ構成では、着座者の上体は荷重により後方移動する各ジグザグバネにより「線」で支持されるので、着座姿勢が安定せず、後突のとき前方移動するヘッドレスト６が頭部を支持しても、着座者の上体が後方移動してしまって、頭部と上体との位置関係がかえって不安定になるが、本願では、前方移動したヘッドレスト６が頭部を支持しているときに、板状支持材３０が着座者の上体全体を「面」で支持するので、頭部を含めた着座者の着座姿勢を極めて安定させる。
【００１１】
前記板状支持材３０は、一枚板状のプレート体３１により形成し、プレート体３１は、ポリプロピレン等の合成樹脂により、着座者を支持しうる所定の強度を有して構成する。
プレート体３１は、野球のホームベースのような略五角形形状に形成し、プレート体３１の左右両側には前方または後方に突き出るようにフランジ３３を形成する。フランジ３３はプレート体３１の剛性を向上させ、着座時の入力荷重によって変形するのを防止する。実施例では後方に突出するようにフランジ３３を形成している。
また、フランジ３３は、プレート体３１の成形時に、プレート体３１が反るのを防止する作用も期待する。
フランジ３３は、後述する弾力調節プレート４０の押出面部７０付近が前方または後方に突き出て最も高い頂部３４に形成し、側面視、頂部３４の上下両側は上方または下方に至るに従い低くなるように傾斜させて傾斜面３５に形成する。
【００１２】
板状支持材３０は、前記プレート体３１をジグザグスプリングやフォームドワイヤスプリング等のワイヤスプリング３２を介して背凭フレーム３に前後移動自在に取付けて構成し、板状支持材３０は面状態を保持したまま前後して着座者を支持する。
前記ワイヤスプリング３２は、所定の弾性を有しており、プレート体３１に荷重が掛かったときに、プレート体３１全体が面形状を保持したまま後方移動しうるように構成する。
ワイヤスプリング３２は上下一対設ける。ワイヤスプリング３２は、一本の軸部材により形成し、ワイヤスプリング３２の左右両端はプレート体３１の左右側縁より側方に突き出させ、ワイヤスプリング３２の中間部分をプレート体３１の裏側に取付ける。
【００１３】
ワイヤスプリング３２の内の上側ワイヤスプリング３２Ａはプレート体３１の上縁付近の裏側に取付ける。上側ワイヤスプリング３２Ａは、開口部３６に合わせた屈曲部３７を形成し、屈曲部３７を開口部３６に嵌合させ、開口部３６には係合片３８を設け、係合片３８を屈曲部３７に係合させて取り付ける。
即ち、係合片３８は開口部３６内に形成され、プレート体３１の裏面から係合片３８の表面に上側ワイヤスプリング３２Ａの屈曲部３７を係合させることにより、プレート体３１および上側ワイヤスプリング３２Ａの前後の厚さを薄く構成することができる。
また、ワイヤスプリング３２の内の下側ワイヤスプリング３２Ｂはプレート体３１の上下中間の所定位置に取付ける。
【００１４】
しかして、プレート体３１の上下中間所定位置の後方に、前記後突感知体２５を位置させる。
即ち、背凭フレーム３に板状支持材３０を設けたことで、板状支持材３０の上端から下端の何れかの部分の後方に後突感知体２５を設ければ後突を感知できるようになる点、板状支持材３０の上下中間部分は後方移動量が大きく後突のとき後突感知体２５を大きく移動させて確実に後突を感知できる点、また、後突感知体２５を上方に設けると、その部分の板状支持材３０を所定量後方移動させることになって、着座者の上体の支持が不足してしまう点等の理由から、プレート体３１の上下中間部分の後方に後突感知体２５を位置させる。
【００１５】
したがって、板状支持材３０による着座者の支持と、後突感知体２５による後突の感知の確実性とを両立させられる。
しかして、前記板状支持材３０のプレート体３１の表側（前側）には、プレート体３１に対して前後する弾力調節プレート４０を設ける。
弾力調節プレート４０は、弾性を有する合成樹脂製の一枚板状に形成する。弾力調節プレート４０の後面の上部所定位置には後側に突き出る後方突出係合部４１および／または前方突出係合部４２を左右方向に夫々複数並設する。上部突出部後方突出係合部４１と前方突出係合部４２はプレート体３１に形成した上側係合孔４３と下側係合孔４４とに係合させる。
【００１６】
後方突出係合部４１は上側に後方膨出部４５を形成し、後方膨出部４５の下面に下向き円弧係合面４６を設けて形成する。下向き円弧係合面４６は上側係合孔４３内の下面に下側円弧面４７に係合する。前方突出係合部４２は後方突出係合部４１の下向き円弧係合面４６より後側に膨出する前方膨出部５０を形成し、前方膨出部５０の下面に上向き円弧係合面５１を設けて形成する。上向き円弧係合面５１は下側係合孔４４内の上面の上側円弧面５２に係合する。
この場合、上側係合孔４３の下側円弧面４７と下側係合孔４４の上側円弧面５２とは、側面視所定位置に設けた中心Ｇとする同心円と略一致する円弧面となるように形成し、後方突出係合部４１および前方突出係合部４２を上側係合孔４３と下側係合孔４４に挿入係合後に前記中心Ｇを軸心として弾力調節プレート４０が回動するように配置構成する。
【００１７】
即ち、弾力調節プレート４０の上部は、後方突出係合部４１および前方突出係合部４２をプレート体３１の上側係合孔４３と下側係合孔４４に前側から挿入し、挿入後、後方突出係合部４１および前方突出係合部４２が係合したまま中心Ｇを軸心として弾力調節プレート４０を下方回動させて、弾力調節プレート４０がプレート体３１の前面に重なるように取付ける。
弾力調節プレート４０の下部所定位置にはやや後側に突き出る下部突出部５５を形成する。下部突出部５５にはワイヤーケーブル５６のインナーケーブル５７を挿入するケーブル挿入溝５８を形成する。
【００１８】
下部突出部５５はプレート体３１の下部に設けた下側開口部６０よりプレート体３１の後側に突出するように嵌合させ、プレート体３１の後側に突出した下部係合部５５のケーブル挿入溝５８にインナーケーブル５７の先端を嵌合させ、下部係合部５５の嵌合溝５５Ａにインナーケーブル５７の先端のケーブル先端係合体６１を係合させて係止する。
嵌合溝５５Ａは、弾力調節プレート４０の下部表面側にケーブル先端係合体６１の左右幅より長く形成し、嵌合溝５５Ａの一方側に前記ケーブル挿入溝５８を形成すると共に抜止体５５Ｂを設ける。ケーブル先端係合体６１は、嵌合溝嵌合溝５５Ａの他方側に嵌合させ、インナーケーブル５７を持ってケーブル先端係合体６１を嵌合溝５５Ａ内を横にスライドさせ、抜止体５５Ｂにケーブル先端係合体６１を当接させて抜けないように構成している。
【００１９】
しかして、前記下部係合部５５と下側開口部６０は略同じ左右幅に形成し、前記下部係合部５５の側縁が下側開口部６０の内周に摺接しながら上下するように構成すると、下部係合部５５と下側開口部６０とが互いにガイドのように作用して、弾力調節プレート４０の弾力調節作用を円滑・確実にでき、好適である。
また、下側開口部６０の上下長さは、前記弾力調節プレート４０が撓むために前記下部係合部５５が上下しうる所定長さを有して開口させる。
プレート体３１の左右中央位置には、ワイヤーケーブル５６のアウターチューブ６２のチューブ先端６３を係止するチューブ係止部６５を設ける。チューブ係止部６５はチューブ先端６３の一部または全部がプレート体３１の前後の幅内に埋没するような凹部形状に形成すればよい。
【００２０】
実施例のチューブ係止部６５は、プレート体３１に上側凹部６７を形成し、上側凹部６７の左右側縁に一対の腕部６６を設け、上側凹部６７と左右の腕部６６とによりチューブ先端６３が埋没するような凹部空間を形成し、上側凹部６７にチューブ先端６３を嵌合させる。
この場合、ワイヤーケーブル５６は、インナーケーブル５７のケーブル先端係合体６１を嵌合溝５５Ａの他方側に嵌合させ、嵌合溝５５Ａ内をケーブル先端係合体６１を横にスライドさせ、ケーブル先端係合体６１が抜止体５５Ｂに嵌ると、インナーケーブル５７がケーブル挿入溝５８と合致するから、ケーブル先端係合体６１を嵌合溝５５Ａに嵌合させたまま、インナーケーブル５７をワイヤーケーブル５６ごと回転させて、ワイヤーケーブル５６ごと下側開口部６０より裏側に通して移動させ、次に、アウターチューブ６２を上方に牽引させてチューブ先端６３をチューブ係止部６５の上方から嵌合させると、取り付けが完了する。
【００２１】
前記チューブ係止部６５と前記下部係合部５５との間のプレート体３１には、前側に凹む嵌合溝６８を形成し、嵌合溝６８にインナーケーブル５７を嵌合させる。
また、チューブ係止部６５の上方所定位置には、別途チューブ係止部６５Ａを設けてアウターチューブ６２の中間部を係止すると、ワイヤーケーブル５６がプレート体３１から離れず、持ち運び等の管理が容易になって、好適である。
ワイヤーケーブル５６は、インナーケーブル５７を牽引すると、インナーケーブル５７のケーブル先端係合体６１が弾力調節プレート４０の下部係合部５５を上方に牽引し、その結果、弾力調節プレート４０の上縁と弾力調節プレート４０の下部係合部５５の間の距離を短くして、弾力調節プレート４０を前方に押出す。
しかして、弾力調節プレート４０の所定部分は、該弾力調節プレート４０の上縁側（係合部４１）と下縁側（下部係合部５５）との間隔を狭くしたとき前方に突き出る押出面部７０に形成し、該押出面部７０付近の弾力調節プレート４０を前後移動させて該弾力調節プレート４０の着座者の身体の支持弾力を調節するように構成する。
【００２２】
即ち、単に、弾力調節プレート４０を上下に撓ませても前方移動する部分が上下にばらつくと着座感を損なうので、予め所定部分が前方に湾曲するように押出面部７０を設ける。
前記押出面部７０は、押出面部７０となる部分の弾力調節プレート４０の左右側縁に切欠部７１を形成して構成する。切欠部７１は、押出面部７０の左右側縁に一対あるいは上下に複数設けてもよい。
即ち、押出面部７０の部分の弾力調節プレート４０に切欠部７１を設けると、切欠部７１は弾力調節プレート４０の断面積を減少させることにより応力が集中することで屈曲点になるので、切欠部７１中心に湾曲させる。
また、押出面部７０以外の弾力調節プレート４０の側縁に、少なくともひとつ以上の上側切欠部７２を設けると、弾力調節プレート４０の上部部分を所望の形状に湾曲させられる。
【００２３】
即ち、切欠部７１およびは上側切欠部７２に応力が集中して屈曲点となると、集中した応力は弾力調節プレート４０を前方に突出させるように作用するので、上側切欠部７２を設けると、着座時の入力荷重により上側切欠部７２の部分の弾力調節プレート４０を前方に突出させ、着座者の状態を良好に支持する。
この場合、押出面部７０の位置は、弾力調節プレート４０の後方突出係合部４１と下部係合部５５との上下中間より下方であって、後方突出係合部４１と押出面部７０との間隔Ｋよりも押出面部７０と下部係合部５５との間隔Ｌの方が短くなるように構成する。
即ち、弾力調節プレート４０は、下部係合部５５を上方移動させて押出面部７０を前方移動させると共に、後方突出係合部４１と押出面部７０との間隔Ｋよりも押出面部７０と下部係合部５５との間隔Ｌの方が短くなるように構成することにより、押出面部７０が弾力調節プレート４０の上縁付近を支点として移動するときの移動半径を可及的に長くし、弾力調節プレート４０の撓みによる押出面部７０の前後移動の際の上下位置の変動を抑制する。
【００２４】
換言すると、弾力調節プレート４０の下端を位置固定状態にして弾力調節プレート４０の上端を下降させると、押出面部７０は弾力調節プレート４０の下端を支点として下がりながら前方に押出されるので、押出面部７０の上下移動距離は大きくなるが、本願は、弾力調節プレート４０の上端の後方突出係合部４１を位置固定状態にして弾力調節プレート４０の下部係合部５５を上動させて弾力調節プレート４０を撓ませるので、押出面部７０が前後するに際しての上下方向の変位量を可及的に抑制する。
【００２５】
（実施例の作用）
ヘッドレスト６のピラー８を支持するピラー支持部材１１をヘッドレスト取付杆１０に固定し、ヘッドレスト取付杆１０の左右両側は夫々上側リンク杆１５の上部に固定し、各上側リンク杆１５の上下中間部は回動軸１６により側部フレーム１７に取付け、上側リンク杆１５の下端部に伝動部材２０の上部を取付け、伝動部材２０の下部は上部を側部フレーム１７に取付けた下側リンク２６の上下中間部に軸着し、下側リンク２６の下部に後突感知体２５の左右両側を連結状態に取付けているから、後方から衝撃を受けて慣性で着座者が後方へ移動すると、クッション材４を後方に押し、クッション材４はプレート体３１を後方に押し、プレート体３１は後突感知体２５を後方移動させ、後突感知体２５の後方移動により下側リンク２６が回動して伝動部材２０を下方に牽引し、伝動部材２０は上側リンク杆１５を回動軸１６中心に下方回動させ、上側リンク杆１５の上部は回動軸１６中心に前方回動し、これによりヘッドレスト６は軸２１中心に前方移動する。
【００２６】
したがって、ヘッドレスト６は上側リンク杆１５により前方回動して頭部を支持し、むち打ち症防止効果を奏する。
しかして、上側リンク杆１５は、回動軸１６より上方部分を上リンクアーム部２２に、回動軸１６より下方部分を下リンクアーム部２３に夫々形成し、上リンクアーム部２２は下リンクアーム部２３よりも長く形成しているから、後突感知体２５の移動量（伝動部材２０の上下移動量）に対して、ヘッドレスト取付杆１０の移動量を格段に大きくでき、しかも、ヘッドレスト取付杆１０より上方にあるヘッドレスト６は更に前方移動量が増加し、移動量を十分に確保でき、着座者の頭部の支持を確実にする。
【００２７】
この場合、上側リンク杆１５の下リンクアーム部２３は下方に至るに従い前側に位置するように、傾斜させているから、上側リンク杆１５は伝動部材２０を介して後突感知体２５の後方移動を前方移動に変換してヘッドレスト６を前方移動させる。
そのため、上側リンク杆１５は、ヘッドレスト６を前方移動させるのに、下リンクアーム部２３を後方移動させるので、下リンクアーム部２３の作動方向が後方から衝撃を受けた着座者の移動方向（後方移動）と同じになって、着座者の後方移動を妨げることはなく、むしろ有効に作動するように作用し、合理的な構成となる。
【００２８】
即ち、仮に、下リンクアーム部２３の作動方向を前側にすると、着座者の移動方向（後方移動）と相反することになり、着座者の後方移動を妨げ、有効に作動しない。
したがって、下リンクアーム部２３は回動軸１６中心に後方移動するので、上側リンク杆１５の作動の際、下リンクアーム部２３はクッション材４や表皮部材５を前側に押す必要がなく、確実に作動する。
しかして、下側リンク２６は、その上部を回動軸２８により側部フレーム１７に取付け、その下部に後突感知体２５を取付軸２７により取付け、側部フレーム１７と取付軸２７の間に伝動部材２０の下部を軸２９により取付けているから、下側リンク２６は、取付軸２７を力点、回動軸２８を支点、軸２９を作用点として梃の原理で後突感知体２５の後方移動させる作動力を倍加して軸２９を牽引する。
【００２９】
また、下側リンク２６は、通常は下方に至るに従い前側に位置するように、傾斜させているから、後方から衝撃を受けた後突の際、下側リンク２６は回動軸２８中心に後方回動する。
そのため、下側リンク２６も上側リンク杆１５の下リンクアーム部２３と同様に、作動方向が着座者の移動方向（後方移動）と一致して合理的な構成となり、作動の際、クッション材４や表皮部材５からの干渉も回避して確実に作動する。
したがって、上側リンク杆１５、伝動部材２０、下側リンク２６の作動機構は、その前側にクッション材４および表皮部材５が存在しても、作動方向が後側方向となるので、クッション材４および表皮部材５による圧力の干渉を避けられ、後突感知体２５の移動をヘッドレスト６に伝達するのときロスを極力排除でき、作動を確実にする。
【００３０】
しかして、背凭シート２の背凭フレーム３には板状支持材３０を設け、板状支持材３０は略四角形の一枚板状に形成したプレート体３１をワイヤスプリング３２を介して背凭フレーム３に前後移動自在に取付けて構成しているから、板状支持材３０は、保持したまま前後移動して着座者を支持する。
そのため、従来の上下に並設して「線」で支持するジグザグバネ構成に比して格段に着座感を向上させる。
【００３１】
即ち、「線」で支持するジグザグバネでは、後突のとき前方移動するヘッドレスト６によって頭部を支持しても、着座者の上体の支持不安定になって頭部と上体との位置関係がかえって悪化する惧れがあるが、本願では、板状支持材３０により着座者の上体全体を「面」で支持するので、前方移動するヘッドレスト６と相俟って頭部および着座者の上体を良好に支持でき、頭部を含めた着座者の着座姿勢を極めて安定させる。
【００３２】
しかして、プレート体３１の下側部分は、着座者の仙骨付近に位置させると、着座者の腰部付近を確実にホールドでき、好適である。
なお、プレート体３１は背凭フレーム３に前後移動自在に取付けられ、慣性による移動方向はプレート体３１と後突感知体２５共に同じであるから両者の関係において、互いに干渉し合う事態はなく、板状支持材３０による着座者の支持と、後突感知体２５による後突の感知の確実性とを両立させられ、合理的構成となる。
また、下側リンク２６および上側リンク杆１５の各部材は、背凭フレーム３の左右側部フレーム１７と並行方向の板状に形成して、側部フレーム１７に取付けているので、プレート体３１と後突感知体２５の前後移動に干渉しないように設けることができ、この点でも、合理的な構成となる。
【００３３】
しかして、板状支持材３０のプレート体３１の表側には、弾力調節プレート４０を設けており、弾力調節プレート４０の上部はプレート体３１に係合させ、弾力調節プレート４０の下部の下部係合部５５は下側開口部６０に上下動自在に嵌合させているから、ケーブル５７により下部係合部５５を上方に牽引すると、弾力調節プレート４０の上縁と下縁との間の距離を短くなり、弾力調節プレート４０の上下中間部分は前側に競り出し、着座者を前方に押す圧力を強くし、反対に、弾力調節プレート４０の上縁と下縁との間隔を長くすると、弾力調節プレート４０の上下中間部分は後側に後退し、着座者を前方に押す圧力を弱くし、着座者に対する弾力を、体格や好みに応じて変更調節する。
【００３４】
即ち、弾力調節プレート４０はプレート体３１の表側に設け、プレート体３１の裏側に設けたワイヤーケーブル５６により弾力調節プレート４０の上縁と下縁との間隔を長短に変更させるように構成しているから、プレート体３１の位置に関わらず弾力調節プレート４０は前後して弾力を調節できる。
したがって、弾力調節機構４１は、背凭フレーム３に対するプレート体３１の全体および後突感知体２５との位置関係を変えずに、弾力調節プレート４０は前後して弾力を調節でき、弾力調節プレート４０の存在は後突感知体２５を含むむち打ち対策機構やプレート体３１の本来の作用効果に全く影響しない。
【００３５】
換言すると、クッション材を前方に押し出す弾力調節機構の場合、常時前方にクッション材を付勢させるため、クッション材の後方移動により後突を感知するため後突感知体の移動方向とは反対になるので、弾力調節機構とむち打ち症対策機構との併用はできないと従来考えられていたが、本願では、プレート体３１の表側に弾力調節プレート４０共に移動するように設けているので、併存を可能にしている。
それゆえ、後突感知体２５とリンク機構により後突時ヘッドレスト６を前方に移動させうるむち打ち対策機構を設けた車両用シート１でありながら、クッションの弾力を調節しうる弾力調節プレート４０の併設が可能となる。
【００３６】
つまり、プレート体３１は背凭フレーム３にワイヤスプリング３２を介して前後移動自在に取付けられているから、プレート体３１に対して弾力調節プレート４０は独立して前側に移動し、且つ、後方から衝撃を受けて慣性で着座者が後方へ移動したときは、この慣性力により弾力調節プレート４０とプレート体３１は一体となって後方移動する。この点、プレート体３１に対して弾力調節機構４１の弾力調節プレート４０は独立して前側に移動するが、後突されたときの移動方向は一致して、弾力調節プレート４０およびプレート体３１の後方移動により後突感知体２５が共に後方移動して、後突を感知でき、併設可能となるのである。
【００３７】
しかして、弾力調節プレート４０の上縁は、上側ワイヤスプリング３２Ａと同じか上方に位置させ、弾力調節プレート４０の下縁は下側ワイヤスプリング３２Ｂより下方に位置させているから、プレート体３１に対する弾力調節プレート４０の大きさも充分確保し、弾力調節プレートの剛性と湾曲（撓み）とを調和させることができ、一層、弾力調節プレート４０を所望形状に湾曲（前方突出）させることができる。
しかして、弾力調節プレート４０は、その所定部分の左右側縁に切欠部７１を形成して構成しているから、切欠部７１は、弾力調節プレート４０の断面積を減少させることにより、断面積が減少した部分に応力を集中させ、弾力調節プレート４０を所望形状に湾曲（前方突出）させて着座者の身体の支持弾力を調節する。
即ち、単に、弾力調節プレート４０を上下に撓ませて前方に突出させても、着座者の背面形状にあわせて前方に突出させないと、着座感を損なうので、予め所定部分が前方に湾曲するように切欠部７１を設けて撓ませるのである。
【００３８】
この場合、弾力調節プレート４０の所定部分は、該弾力調節プレート４０の上縁側（係合部４１）と下縁側（下部係合部５５）との間隔を狭くしたとき前方に突き出る押出面部７０に形成し、押出面部７０は、押出面部７０となる部分の弾力調節プレート４０の左右側縁に切欠部７１を形成して構成しているから、切欠部７１は押出面部７０付近の弾力調節プレート４０を前方に突き出させて該弾力調節プレート４０の着座者の身体の支持弾力を調節する。
即ち、着座者の腰部当たりの弾力調節プレート４０を押出面部７０とし、押出面部７０を切欠部７１により前方に突き出すように弾力調節プレート４０を湾曲させる。
したがって、予め所定の着座者の腰部後方の押出面部７０が常時前方に押し出されるので、良好な着座感を提供する。
【００３９】
しかして、押出面部７０より上方の弾力調節プレート４０の側縁には、一以上（ひとつあるいは複数）の上側切欠部７２を設けているから、弾力調節プレート４０の上部部分を、着座時の入力荷重に対して狙った位置で所望の形状に湾曲させられ、着座者の背部にフィットさせた着座感を提供する。
即ち、弾力調節プレートを撓ませたとき、押出面部７０を切欠部７１以外に、上側切欠部７２にも応力を集中させることで上側切欠部７２を屈曲点として前方に突出させ、切欠部７１と上側切欠部７２との付近複数位置が屈曲点となって側面視多角形のように撓ませる。
【００４０】
したがって、仮に、上側切欠部７２を設けないと、弾力調節プレート４０の上部部分は着座時の入力荷重により後方に移動して着座者の背部が後に沈んでフィットしないが、本願では、上側切欠部７２により弾力調節プレート４０の上部部分を、着座時の入力荷重に対しても前方に押すように作用して着座者の背部の後に沈みを抑制し、着座者の背部にフィットして着座感を良好にする。
しかして、プレート体３１は、野球のホームベースのような略五角形に形成し、プレート体３１の左右両側には後側に突き出るようにフランジ３３を形成しているから、フランジ３３はプレート体３１の剛性を向上させ、プレート体３１が着座時の入力荷重によって変形するのを防止する。
【００４１】
したがって、フランジ３３は、プレート体３１の剛性を向上させるので、弾力調節プレート４０の前方突き出しを良好にする。
即ち、プレート体３１の剛性が低いと、弾力調節プレート４０を前方に突き出させたとき、プレート体３１も一緒に撓んでしまって、弾力調節プレート４０の実質的な前方突き出し量が少なくなって「前方突き出し量のロス」が生じるが、本願では、フランジ３３によりプレート体３１の剛性を向上させるので、弾力調節プレート４０の前方突き出しを良好にする。
【００４２】
特に、フランジ３３は、プレート体３１の左右両側に縦方向に設けているから、プレート体３１が前後側に撓むのを防止できて弾力調節プレート４０を強固に支持でき、弾力調節プレート４０の前方突き出しを良好にする。
この場合、フランジ３３は、弾力調節プレート４０の押出面部７０付近が最も高く、側面視、上方および下方に至るに従い低くなるように傾斜させて形成しているから、弾力調節プレート４０の押出面部７０付近のプレート体３１の強度を最も強くすると共に、プレート体３１の上方および下方に至るに従い低くなるように傾斜させているので、スペース効率も良好にしてプレート体３１を薄くする。
【００４３】
しかして、ワイヤスプリング３２は上下一対設け、ワイヤスプリング３２の内の上側ワイヤスプリング３２Ａはプレート体３１の上縁付近の裏側に取付け、上側ワイヤスプリング３２Ａは、屈曲部３７をプレート体３１の開口部３６の係合片３８の表側になるように、係合片３８に係合させて取り付けているから、この部分のプレート体３１の厚さを薄くすることができ、好適である。
即ち、限られた車両用シート１の内部空間にプレート体３１が占める割合を小さくすると、クッション材４を厚くする等のメリットが生じ、上側ワイヤスプリング３２Ａの屈曲部３７をプレート体３１の開口部３６の係合片３８の表側になるように係合させると、屈曲部３７はプレート体３１の厚みの範囲内で固定されることになり、この上側ワイヤスプリング３２Ａ取付部分のプレート体３１の厚さを薄くすることができる。
なお、下側ワイヤスプリング３２Ｂの取付部分は、フランジ３３が有るため、通常の係合フックを設ければよい。
【００４４】
しかして、弾力調節プレート４０の下部係合部５５の表面側には、ケーブル先端係合体６１の左右幅より長く形成した嵌合溝５５Ａを設け、嵌合溝５５Ａの左右何れか一方側にケーブル挿入溝５８を形成すると共に、ケーブル挿入溝５８を設けた側の嵌合溝５５Ａ内にケーブル先端係合体６１が係合する抜止体５５Ｂを設けているから、ケーブル先端係合体６１を嵌合溝５５Ａの他方側に嵌合させ、インナーケーブル５７を手で持ってケーブル先端係合体６１を嵌合溝５５Ａ内を一方側に向けて横スライドさせると、抜止体５５Ｂの内側にケーブル先端係合体６１が当接して外れなくなる。
【００４５】
次に、インナーケーブル５７を下部係合部５５のケーブル挿入溝５８に係合させ、嵌合溝５５Ａに嵌合させているケーブル先端係合体６１を支点にインナーケーブル５７を弾力調節プレート４０の表側からケーブル挿入溝５８内を弾力調節プレート４０の裏側に移動させる。
次に、弾力調節プレート４０の裏側に位置するアウターチューブ６２ごとワイヤーケーブル５６全体を下側開口部６０を通してプレート体３１の裏側に位置させる。
次に、アウターチューブ６２を上方に牽引すると、弾力調節プレート４０を湾曲させながらケーブル先端係合体６１は上方移動するので、アウターチューブ６２のチューブ先端６３が一旦プレート体３１のチューブ係止部６５より上方に位置するまでアウターチューブ６２を上方に牽引してから、チューブ先端６３をチューブ係止部６５に上方から嵌合させると、ワイヤーケーブル５６の取付が完了する。
【００４６】
したがって、アウターチューブ６２を手でもって上方に牽引するだけで、弾力調節プレート４０を湾曲させながらアウターチューブ６２のチューブ先端６３をチューブ係止部６５まで引き上げられるから、非常に簡単に、ワイヤーケーブル５６を取付られる。
即ち、ワイヤーケーブル５６の取付は、弾力調節プレート４０が湾曲から元に戻る復元力に抗して行われるから、弾力調節プレート４０の湾曲と、ワイヤーケーブル５６の取付との二つの作業を同時進行させる必要があって、非常に面倒であるが、ワイヤーケーブル５６のケーブル先端係合体６１を下部係合部５５に係合させてから、アウターチューブ６２のチューブ先端６３をチューブ係止部６５に係合させるので、アウターチューブ６２をチューブ係止部６５に係合させるための牽引が、同時に弾力調節プレート４０を湾曲させることになり、簡単に取り付けることができる。
【００４７】
以上のように、弾力調節プレート４０は、弾力調節プレート４０の上部の係合部を前記プレート体３１に形成した係合孔に係合させ、前記弾力調節プレート４０の下部係合部５５の表面側の嵌合溝５５Ａにワイヤーケーブル５６のケーブル先端係合体６１を嵌合係止させ、次に、嵌合溝５５Ａにケーブル先端係合体６１を嵌めたワイヤーケーブル５６は、インナーケーブル５７を下部係合部５５の表側からケーブル挿入溝５８内を移動させて前記下部開口部６０を通してプレート体３１の裏側に移動させ、次に、ワイヤーケーブル５６のアウターチューブ６２のチューブ先端６３を、アウターチューブ６２を上方に牽引して弾力調節プレート４０を湾曲させながらチューブ係止部６５に上方から嵌合させ、ワイヤーケーブル５６の張力で弾力調節プレート４０の下部を下部開口部６０に係合保持させるから、弾力調節プレート４０の取付およびワイヤーケーブル５６の取付作業全体を容易にでき、車両用シートの組み立てを容易にできる。
したがって、弾力調節プレート４０の取付は、ブラケットや軸部材等の取付部品が不要となり、弾力調節プレート４０の上部の係合部を前記プレート体３１に形成した係合孔に係合させた状態で、ワイヤーケーブル５６の張力で弾力調節プレート４０の下部を下部開口部６０に係合保持させれば取付が完了し、前記ワイヤーケーブル５６の取付のみならず弾力調節プレート４０の取付も容易にできて、合理的な構成となる。
【００４８】
しかして、下部係合部５５はケーブル挿入溝５８を形成してケーブル先端係合体６１を直接係止しているので、ワイヤーケーブル５６の取付に際して、ロッドやブラケットを使用しないですみ、部品点数を減少させ、コストを低くする。
また、弾力調節プレート４０の下部係合部５５は単にプレート体３１の下側開口部６０に嵌合するだけであるから、ワイヤーケーブル５６の取付の取付を容易にし、また、下部係合部５５は下側開口部６０との接触により弾力調節プレート４０の撓むときのガイド作用を奏し、また、下部係合部５５は下側開口部６０との接触部分は、何れも合成樹脂製であるから異音の発生が少ない。
【００４９】
また、下部係合部５５はワイヤーケーブル５６により常時引かれているので、下側開口部６０に確実に嵌合している。
また、弾力調節プレート４０の前面には背凭シート２のクッション材４があるので、弾力調節プレート４０は前側からクッション材４により押され、後側からワイヤーケーブル５６により引かれて、クッション材４とプレート体３１とにより前後から挟持される。
する。
【００５０】
しかして、ワイヤーケーブル５６のアウターチューブ６２のチューブ先端６３はチューブ係止部６５に嵌合させているから、ワイヤーケーブル５６のアウターチューブ６２のチューブ先端６３を直接プレート体３１に埋め込むように取付けることができ、プレート体３１および弾力調節プレート４０の操作機構の全体の前後厚さを薄くすることが可能になる。
また、側面視において、チューブ係止部６５と下部係合部５５とが略同じ前後位置に配置することにより、一層、プレート体３１および弾力調節プレート４０並びに弾力調節プレート４０の操作機構の全体の前後厚さを薄くすることが可能になって、好適である。
【００５１】
また、アウターチューブ６２のチューブ先端６３より引き出されたインナーケーブル５７はプレート体３１に嵌合溝６８に嵌合させているから、ワイヤーケーブル５６の作動を確実にするだけでなく、一層、プレート体３１および弾力調節プレート４０並びに弾力調節プレート４０の操作機構の全体の前後厚さを薄くすることができる。
即ち、嵌合溝６８を設けることによりチューブ係止部６５と下部係合部５５とを、アウターチューブ６２の幅と略同じ前後幅内に配置可能となるので、プレート体３１および弾力調節プレート４０並びに弾力調節プレート４０の操作機構の全体の前後厚さを薄くすることができる。
【図面の簡単な説明】
【００５２】
【図１】背凭シートおよびヘッドレストの斜視図。
【図２】背凭シートフレーム側面図。
【図３】分解状態斜視図（プレート体と弾力調節プレートは省略）。
【図４】背凭シートフレームの斜視図（プレート体と弾力調節プレートは省略）。
【図５】背凭シートフレームの斜視図。
【図６】プレート体と弾力調節プレートの取付け状態概略斜視図。
【図７】プレート体と弾力調節プレートの側面図。
【図８】弾力調節プレートの係合部の斜視図。
【図９】弾力調節プレートをプレート体に取付ける状態の側面図。
【図１０】弾力調節プレートの係合部を係合孔に係合させた状態図。
【図１１】弾力調節プレートを回動させた側面図。
【図１２】弾力調節プレートを回動させた側面図。
【図１３】プレート体の一部縦断側面図。
【図１４】弾力調節プレートの一部縦断側面図。
【図１５】弾力調節プレートの下部係合部部分の断面図。
【図１６】弾力調節プレートの下部係合部部分の斜視図。
【図１７】ワイヤーケーブルの先端の取付状態斜視図。
【図１８】上側ワイヤスプリングの取付部分斜視図。
【図１９】上側ワイヤスプリングの取付部分斜視図。
【図２０】同縦断側面図。
【図２１】同横断平面図。
【図２２】プレート体のフランジを示す概略側面図。
【図２３】弾力調節プレートの湾曲状態説明図。
【図２４】弾力調節プレートの湾曲状態模式図。
【図２５】ワイヤーケーブルのアウターチューブのチューブ係止部の取付状態説明図。
【図２６】同斜視図。
【符号の説明】
【００５３】
１…車両用シート、２…背凭シート、３…背凭フレーム、４…クッション材、５…表皮部材、６…ヘッドレスト、８…ピラー、１０…ヘッドレスト取付用杆、１１…ピラー支持部材、１５…上側リンク杆、１６…回動軸、１７…側部フレーム、２０…伝動部材、２１…軸、２２…上リンクアーム部、２３…下リンクアーム部、２５…後突感知体、２６…下側リンク、２７…取付軸、２８…回動軸、２９…軸、３０…板状支持材、３１…プレート体、３２…ワイヤスプリング、３３…フランジ、３４…頂部、３５…傾斜面、３６…開口部、３７…屈曲部、３８…係合片、４０…弾力調節プレート、４１…後方突出係合部、４２…前方突出係合部、４３…上側係合孔、４４…下側係合孔、４５…後方膨出部、４６…下向き円弧係合面、４７…下側円弧面、５０…前方膨出部、５１…上向き円弧係合面、５２…上側円弧面、５５…下部係合部、５６…ワイヤーケーブル、５７…インナーケーブル、５８…ケーブル挿入溝、６０…下側開口部、６１…ケーブル先端係合体、６２…アウターチューブ、６３…チューブ先端、６５…チューブ係止部、６６…腕部、６７…上側凹部、６８…嵌合溝、７１…切欠部、７２…上側切欠部。
【図１】
2007331724.tif 000003
【図２】
2007331724.tif 000004
【図３】
2007331724.tif 000005
【図４】
2007331724.tif 000006
【図５】
2007331724.tif 000007
【図６】
2007331724.tif 000008
【図７】
2007331724.tif 000009
【図８】
2007331724.tif 000010
【図９】
2007331724.tif 000011
【図１０】
2007331724.tif 000012
【図１１】
2007331724.tif 000013
【図１２】
2007331724.tif 000014
【図１３】
2007331724.tif 000015
【図１４】
2007331724.tif 000016
【図１５】
2007331724.tif 000017
【図１６】
2007331724.tif 000018
【図１７】
2007331724.tif 000019
【図１８】
2007331724.tif 000020
【図１９】
2007331724.tif 000021
【図２０】
2007331724.tif 000022
【図２１】
2007331724.tif 000023
【図２２】
2007331724.tif 000024
【図２３】
2007331724.tif 000025
【図２４】
2007331724.tif 000026
【図２５】
2007331724.tif 000027
【図２６】
2007331724.tif 000028
【手続補正書】
【提出日】平成18年10月19日(2006.10.19)
【手続補正１】
【補正対象書類名】図面
【補正対象項目名】図６
【補正方法】変更
【補正の内容】
【図６】
2007331724.tif 000029
【手続補正２】
【補正対象書類名】図面
【補正対象項目名】図８
【補正方法】変更
【補正の内容】
【図８】
2007331724.tif 000030
【手続補正３】
【補正対象書類名】図面
【補正対象項目名】図９
【補正方法】変更
【補正の内容】
【図９】
2007331724.tif 000031
【手続補正４】
【補正対象書類名】図面
【補正対象項目名】図１０
【補正方法】変更
【補正の内容】
【図１０】
2007331724.tif 000032
【手続補正５】
【補正対象書類名】図面
【補正対象項目名】図１１
【補正方法】変更
【補正の内容】
【図１１】
2007331724.tif 000033
【手続補正６】
【補正対象書類名】図面
【補正対象項目名】図１２
【補正方法】変更
【補正の内容】
【図１２】
2007331724.tif 000034
【手続補正７】
【補正対象書類名】図面
【補正対象項目名】図１３
【補正方法】変更
【補正の内容】
【図１３】
2007331724.tif 000035
【手続補正８】
【補正対象書類名】図面
【補正対象項目名】図１７
【補正方法】変更
【補正の内容】
【図１７】
2007331724.tif 000036
【手続補正９】
【補正対象書類名】図面
【補正対象項目名】図１８
【補正方法】変更
【補正の内容】
【図１８】
2007331724.tif 000037
【手続補正１０】
【補正対象書類名】図面
【補正対象項目名】図１９
【補正方法】変更
【補正の内容】
【図１９】
2007331724.tif 000038
【手続補正１１】
【補正対象書類名】図面
【補正対象項目名】図２０
【補正方法】変更
【補正の内容】
【図２０】
2007331724.tif 000039
【手続補正１２】
【補正対象書類名】図面
【補正対象項目名】図２１
【補正方法】変更
【補正の内容】
【図２１】
2007331724.tif 000040
【手続補正１３】
【補正対象書類名】図面
【補正対象項目名】図２２
【補正方法】変更
【補正の内容】
【図２２】
2007331724.tif 000041
【手続補正１４】
【補正対象書類名】図面
【補正対象項目名】図２３
【補正方法】変更
【補正の内容】
【図２３】
2007331724.tif 000042
【手続補正１５】
【補正対象書類名】図面
【補正対象項目名】図２５
【補正方法】変更
【補正の内容】
【図２５】
2007331724.tif 000043
【手続補正１６】
【補正対象書類名】図面
【補正対象項目名】図２６
【補正方法】変更
【補正の内容】
【図２６】
2007331724.tif 000044